(57)【要約】      （修正有）【課題】垂直に背負いやすく、背負った時に傾き難く安定し、背負った状態で駅の改札口のように狭い場所でも通り易いキャディバッグを提供する。【解決手段】キャディバッグ１の外周面縦方向に、二本のショルダーベルト１１ａ，１１ｂの各上部を該キャディバッグ１の口部２又はその付近に、該ショルダーベルトの各下部を該キャディバッグ１の底部４又はその付近に、固定又は脱着可能とする。該ショルダーベルト１１ａ，１１ｂは、該キャディバッグ１の外周面のうち、幅広となる側面６ａに設けるのが望ましい。該ショルダーベルト１１ａ，１１ｂのうちのいずれか一方を、キャディバッグ備え付けのショルダーベルトと兼用とすることもできる。該キャディバッグ１の外周面に、該ショルダーベルト１１ａ，１１ｂの下部を出し入れ可能なポケットを設けてある。【選択図】図１
2020054627.tif 000002
【特許請求の範囲】
【請求項１】
ゴルフ用キャディバッグにおいて、
キャディバッグの外周面縦方向に、二本のショルダーベルトが略平行にあり、二本のショルダーベルトはその上部がキャディバッグの口枠側に、下部がキャディバッグの底枠側に固定又は脱着可能に取り付けられている、
ことを特徴とするショルダーベルト付きキャディバッグ。
【請求項２】
ゴルフ用キャディバッグにおいて、
キャディバッグの外周面縦方向に、二本のショルダーベルトが略平行にあり、二本のショルダーベルトは、上部がキャディバッグの口枠側に取り付けられ、下部がキャディバッグの底枠側よりも上方に固定又は脱着可能に取り付けられたもの、又は、上部がキャディバッグの口枠側よりも下方に取り付けられ、下部がキャディバッグの底枠側に固定又は脱着可能に取り付けられた、
ことを特徴とするショルダーベルト付きキャディバッグ。
【請求項３】
請求項１又は請求項２記載のショルダーベルト付きキャディバッグにおいて、
キャディバッグの側面が前面又は背面よりも幅広であり、
二本のショルダーベルトが前記側面側にある、
ことを特徴とするショルダーベルト付きキャディバッグ。
【請求項４】
請求項１から請求項３のいずれか１項に記載のショルダーベルト付きキャディバッグにおいて、
二本のショルダーベルトのうち、いずれか一本は、キャディバッグの備え付けのショルダーベルトと兼用であり、
備え付けのショルダーベルトの上係止具を、備え付けのショルダーベルトの上治具から外して、キャディバッグの側面の口枠側に設けた上係止具に付け替え可能であり、
備え付けのショルダーベルトの下係止具を、備え付けのショルダーベルトの下治具から外して、キャディバッグの側面の底枠側に設けた下受け具に付け替え可能である、
ことを特徴とするショルダーベルト付きキャディバッグ。
【請求項５】
請求項１から請求項４のいずれか１項に記載のショルダーベルト付きキャディバッグにおいて、
キャディバッグの外周面に、上方開口のポケットがあり、当該ポケットは一本又は二本のショルダーベルトの下部を出し入れ可能なサイズの縦長である、
ことを特徴とするショルダーベルト付きキャディバッグ。
【発明の詳細な説明】
【技術分野】
【０００１】
本発明はゴルフ用のキャディバッグ、特に携行に便利なキャディバッグに関する。
【背景技術】
【０００２】
キャディバッグには各種構造、デザインのものがある。従来のキャディバッグには持ち運び用のハンドルも、肩に掛けるショルダーベルトもある。しかし、キャディバッグは縦長であり、直径が大きく、クラブやボールを入れると重いため、ハンドルを持っても、ショルダーベルトを肩に掛けても持ち運びにくい。特に、ショルダーベルトは、通常は一本であるため、肩に掛けるとキャディバッグが傾くとか、肩からずれ落ち易く、不安定であり、担ぎにくかった。また、キャディバッグが身体の横にぶら下がり、キャディバッグの前後が進退の前後から飛び出る（はみ出る）ため、歩くと左右に揺れて歩きにくく、駅の改札口のような狭い場所を通りにくかった。電車内の網棚に載せるには大き過ぎ、電車内に置くと他の乗客に迷惑がかかることがある。また、電車内に倒れないように立てておくのも難しかった。近年、車離れが一因で、電車でゴルフに行く人が多くなっていることから、前記諸問題の解決は喫緊の課題でもある。
【０００３】
従来は、ショルダーベルトを二本にしたキャディバッグもある（特許文献１〜４）。これらは一本の場合よりも持ち運びが容易であるが、二本のショルダーベルトがＸ字状の場合は、背中に背負うとキャディバッグが横向きになるため、背負った状態では改札口を通りにくく、駅構内の人混みの中や電車内で邪魔になる。
【０００４】
二本のショルダーベルトを平行にしたキャディバッグもある（特許文献５）。このキャディバッグは背負うとキャディバッグが縦向きになるため、改札口を通り易く、電車内での邪魔も緩和される。しかし、通常、キャディバッグの前面にはハンドルと前ポケットがあるため、特許文献５のように、二本のショルダーベルトをキャディバッグの前面に取り付けると、背負った時にハンドルと前ポケットが背中に当たって邪魔になる。この邪魔を解消するためには、少なくともハンドルを取り外さなければならない。しかし、ハンドルを取り外すと手で持ちにくくなるため、キャディバッグをゴルフカートや自動車に積み降ろししにくくなる。また、ハンドルを取り外しても幅の狭い前面が背中に当たるため背負った時に不安定になる。
【０００５】
キャディバッグはゴルフ場に宅配便で送ることがある。しかし、昨今は、宅配便代が大幅に値上げされていることから、往復にすると数千円にもなり、プレーヤーの経済的負担が大きくなっている。
【先行技術文献】
【特許文献】
【０００６】
【特許文献１】特開平９−１３５９３６号公報
【特許文献２】特開平１１−２５３５９４号公報
【特許文献３】特開２００９−０８２６８６号公報
【特許文献４】特開２０１７−１７０１２６号公報
【特許文献５】特開２０１７−１２４１５４号公報
【発明の概要】
【発明が解決しようとする課題】
【０００７】
本発明は、両方でも、片方の肩でも背負うことができ、垂直に背負いやすく、背負った時に傾きにくく安定し、背負った状態でも駅の改札口のように狭い場所でも通り易いキャディバッグを提供することにある。
【課題を解決するための手段】
【０００８】
本発明のショルダーベルト付きキャディバッグは、キャディバッグの外周面縦方向に、二本のショルダーベルトを略平行（平行）に設けたものである。二本のショルダーベルトはその上部をキャディバッグの口枠又はその付近（口枠側）に、下部をキャディバッグの底枠又はその付近（底枠側）に固定又は脱着可能に取り付けたものである。キャディバッグの側面が前面又は背面よりも幅広である場合は、二本のショルダーベルトを幅広の側面側に設けるのが望ましい。
【０００９】
二本のショルダーベルトの取り付け位置は前記位置に限らず、上部をキャディバッグの口枠側に取り付け、下部をキャディバッグの底枠側よりも上方に固定又は脱着可能に取り付けるとか、上部をキャディバッグの口枠側よりも下方に取り付け、下部をキャディバッグの底枠側に固定又は脱着可能に取り付けるとかすることもできる。
【００１０】
二本のショルダーベルトのうち一本は、少なくとも、上部がキャディバッグの口枠側に固定され、下部がキャディバッグの底枠側に脱着可能であり、他の一本はキャディバッグの備え付けのショルダーベルトの取付け箇所から取り外して、キャディバッグの側面の口枠側に設けた上係止具に付け替え可能とすることもできる。
【００１１】
キャディバッグの外周面に上方開口のポケットを設けることもできる。ポケットは二本のショルダーベルトのうち、少なくとも一本のショルダーベルトの下部を出し入れ可能なサイズの縦長が適する。
【発明の効果】
【００１２】
本発明のショルダーベルト付きキャディバッグは次のような効果がある。
（１）キャディバッグの外周面縦方向に、二本のショルダーベルトを略並行に設けたので、背負いやすく、傾きにくく、安定する。
（２）二本のショルダーベルトの上部をキャディバッグの口枠側に、下部をキャディバッグの底枠側に取り付けてあるため、縦向きに背負ったキャディバッグが傾きにくくなり、背中の上で安定する。このため、改札口のような狭い場所でも通過し易くなり、車内でも邪魔になりにくい。
（３）ショルダーベルトをキャディバッグの側面の幅広側に設けた場合は、幅広側にはハンドルも、前ポケットもなく、比較的フラットになっており、幅も前面や背面よりも広いため、背負った時に背中に密着し易く、安定する。背中から横にはみ出ることもないため、平地は勿論のこと駅の階段でも歩き易い。一本のショルダーベルトを片方の肩に掛けても、略垂直に背負うことができるので、肩からずれ落ち難くなり、揺れが少なくなり、歩き易くなる。
（４）二本のショルダーベルトをキャディバッグの幅広の側面側に設けた場合は、背負った時に背中への接触面積が大きくなり、傾きにくくなり、安定し、背負った時に歩行し易い。小走りしても傾きにくく安定する。
（５）二本のショルダーベルトのうち、一本は、既存のショルダーベルトを利用することができるので、既存のショルダーベルトを有効活用できる。
（６）両肩で背負った場合は、荷重が両肩に分散されるので疲れにくい。
（７）ショルダーベルト用のポケットがあるため、ショルダーベルトを使わないときは、ショルダーベルトをポケットに収納でき、邪魔にならない。
（８）備え付けのショルダーベルトを、背負うための二本のショルダーベルトの一本と兼用にする場合は、ショルダーベルトが三本にならず、構成がシンプルになり、コストダウンにもなる。
【図面の簡単な説明】
【００１３】
【図１】本発明のショルダーベルト付きキャディバッグの一例を示す斜視図。
【図２】図１のキャディバッグのショルダーベルトの下方部分を、キャディバッグのポケットに収容した一例を示す斜視図。
【図３】本発明のショルダーベルト付きキャディバッグであって、背負い用のショルダーベルトを一本にして、他の一本を備え付けのショルダーベルトと兼用にする場合の斜視図。
【図４】図３のキャディバッグの備え付けのショルダーベルトの上係止具を外して新たに設けた上係止具に付け替えた場合の説明図。
【図５】図４のキャディバッグの一方のショルダーベルトの下係止具を新たに設けた下受け具に付け替えた場合の説明図。
【図６】本発明のショルダーベルト付きキャディバッグを背負った状態の側面図。
【図７】本発明のショルダーベルト付きキャディバッグを背負った状態の正面図。
【図８】本発明のショルダーベルト付きキャディバッグの一方のショルダーベルトを、一方の肩に掛けて背負った状態の正面図。
【発明を実施するための形態】
【００１４】
（実施形態）
本発明のショルダーベルト付きキャディバッグの一例を図面に基づいて説明する。本発明ではショルダーベルトをキャディバッグの前面又は背面に設けることもできるが、この実施形態はショルダーベルトをキャディバッグの側面に設けた場合である。
【００１５】
図１のキャディバッグ１はフードＦ（図６〜図８）を取り外した状態である。図１の２は口部であり、口枠２ａを合成皮革、布等のカバー材３で被覆してある。口枠２ａは硬質材製であって前後方向に多少細長リング状である。４は底部であり、底枠４ａを合成皮革、布等のカバー材５で被覆してある。底枠４ａは硬質材製であり、略円筒状である。底枠４ａは円盤状の底板の周囲に配置固定されている。６は口部２と底部４の間の外周部であり、口部２と底部４の間に設けた円筒状の芯材（図示せず）の外周を合成皮革、布等のカバー材７で被覆してある。口部２の内側は数本の仕切り材で縦、横に仕切ってあり、口部２から出し入れするクラブの絡み合いを防止して、クラブを出し入れし易くしてある。外周部６の前面には前袋８とハンドル９（図１、図２）があり、背面には背袋１０（図３、図４）がある。前袋８、背袋１０の出入り口はジッパーその他の止め具で開閉可能である。これら構造は汎用のキャディバッグと同じ又は略同じである。
【００１６】
本発明のキャディバッグ１の特徴は、図１に示すように外周部６の外側面の外側に、二本のショルダーベルト１１ａ、１１ｂを略平行に設けたことにある。二本のショルダーベルト１１ａ、１１ｂの上部１２ａ、１２ｂは口部２のカバー材３の内側に入れて、カバー材３に縫いつけてある。二本のショルダーベルト１１ａ、１１ｂの下部１３ａ、１３ｂには係止具（例えばナスカン）１４を取り付けてあり、その係止具１４を、キャディバッグ１の底部４に取り付けてある下受け具（例えばリング）１５（図２）に取り外し可能としてある。ショルダーベルト１１ａ、１１ｂは幅を広くして肩に掛けたときに安定するようにしてあり、また、クッション材が内蔵されて、肩が痛くならないようにしてある。
【００１７】
本発明のキャディバッグ１は、図２のように、外周部６の幅広の側面６ａ（図１）にポケット１６（図２、図３）を設けてある。ポケット１６は二本のショルダーベルト１１ａ、１１ｂを差し込んで収納できる縦長であり、上部１６ａを開口して出入れ口としてある。
【００１８】
図１ではショルダーベルト１１ａ、１１ｂの上部１２ａ、１２ｂ（図１）を共に口部２側に縫い付けて固定してあるが、上部１２ａ、１２ｂの双方又はいずれか一方は、口部２側に設けた上係止具２０に脱着可能とすることもできる。
【００１９】
二本のショルダーベルト１１ａ、１１ｂのうち、いずれか一本は、キャディバッグ１を肩に担ぐためにキャディバッグに備え付けのショルダーベルト１７（図３）と兼用にすることもできる。兼用にする場合は、図４のように、備え付けのショルダーベルト１７の上係止具（例えばナスカン）１８を備え付けの上治具１９（図３）から外して、キャディバッグ１の口部２に取り付けてある上係止具２０に付け替える。さらに、備え付けのショルダーベルト１７（図４）の下係止具（例えばナスカン）２１を備え付けの下治具２２（図４）から外して、図５のように、キャディバッグ１の底部４に取り付けてある下受け具（例えばリング）２３に付け替える。
【００２０】
［使用例］
本発明のショルダーベルト付きキャディバッグ１を背負う場合は、図６、図７のように、二本のショルダーベルト１１ａ、１１ｂを肩に掛けて縦向きに背負う。この場合、キャディバッグ１の外周部６の幅広の側面６ａが背中に当たるためキャディバッグ１が安定する。図８のように、二本のショルダーベルト１１ａ、１１ｂのいずれか一本だけを片方の肩に掛けることもできる。この場合も、キャディバッグ１の外周部６の幅広の側面６ａが背中に当たるためキャディバッグ１が安定する。
【００２１】
本発明のショルダーベルト１１ａ、１１ｂの取り付け位置は、必ずしも、キャディバッグの口枠側又は底枠側でなくてもよい。ショルダーベルト１１ａ、１１ｂの上部１２ａ、１２ｂを口枠側よりも下方に、ショルダーベルト１１ａ、１１ｂの下部１３ａ、１３ｂを底枠側よりも上方に取り付けることもできる。また、上部１２ａ、１２ｂを口枠側に設け、下部１３ａ、１３ｂを底枠側よりも上方に取り付けるとか、上部１２ａ、１２ｂを口枠側の下方に取り付け、下部１３ａ、１３ｂを底枠側に取り付けることもできる。いずれの場合も、ショルダーベルト１１ａ、１１ｂを肩に掛けてキャディバッグを縦向きに背負ったときに、キャディバッグ１の上部又は下部が横に傾かない位置に取り付けるのが望ましい。
【００２２】
ショルダーベルト１１ａ、１１ｂは、キャディバッグ１の前面又は背面に設けることもできる。この場合のショルダーベルト１１ａ、１１ｂの取り付けは、前記と同様にすることができる。ショルダーベルト１１ａ、１１ｂをキャディバッグ１の前面に設けた場合は、縦向きに背負ったキャディバッグ１の前面が背中にあたり、ショルダーベルト１１ａ、１１ｂをキャディバッグ１の背面に設けた場合は、縦向きに背負ったキャディバッグ１の背面が背中にあたる。
【産業上の利用可能性】
【００２３】
図示した実施例はあくまでも本発明の一例である。本発明の解決課題を実現できれば、他の形状、構造、サイズ、材質等とすることもできる。
【符号の説明】
【００２４】
１      キャディバッグ
２      （キャディバッグの）口部
２ａ    口枠
３      カバー材
４      （キャディバッグの）底部
４ａ    底枠
５      カバー材
６      （キャディバッグの）外周部
６ａ    幅広の側面
７      カバー材
８      前袋
９      ハンドル
１０    背袋
１１ａ、１１ｂ    ショルダーベルト
１２ａ、１２ｂ    （ショルダーベルトの）上部
１３ａ、１３ｂ    （ショルダーベルトの）下部
１４    係止具
１５    下受け具
１６    ポケット
１６ａ  ポケットの上部（出入れ口）
１７    備え付けのショルダーベルト
１８    （備え付けのショルダーベルトの）上係止具
１９    備え付けの上治具
２０    上係止具
２１    （備え付けのショルダーベルトの）下係止具
２２    備え付けの下治具
２３    下受け具
Ｆ      フード
【図１】
2020054627.tif 000003
【図２】
2020054627.tif 000004
【図３】
2020054627.tif 000005
【図４】
2020054627.tif 000006
【図５】
2020054627.tif 000007
【図６】
2020054627.tif 000008
【図７】
2020054627.tif 000009
【図８】
2020054627.tif 000010
【手続補正書】
【提出日】平成31年3月7日(2019.3.7)
【手続補正１】
【補正対象書類名】特許請求の範囲
【補正対象項目名】全文
【補正方法】変更
【補正の内容】
【特許請求の範囲】
【請求項１】
ゴルフ用のキャディバッグにおいて、
キャディバッグの外周面縦方向に、二本のショルダーベルトが略平行にあり、
二本のショルダーベルトのうちの一本のショルダーベルトは背負い用であり、他の一本のショルダーベルトはキャディバッグを肩に担ぐためにキャディバッグに備え付けられているショルダーベルトと兼用であり、
背負い用のショルダーベルトは、その上部がキャディバッグの外周上部に固定又は当該上部にある上係止具に脱着可能に取り付けられ、下部がキャディバッグの外周下部に固定又は当該下部にある下受け具に脱着可能に係止され、
兼用のショルダーベルトはその上部が備え付けの上治具から外してキャディバッグの外周上部にある上係止具に脱着可能に付け替え可能であり、下部が備え付けの下治具から外してキャディバッグの外周下部の下受け具に脱着可能に付け替え可能であり、
前記背負い用のショルダーベルトと、付け替え後のショルダーベルトは肩に掛けてキャディバッグを縦向きにして背中に背負うことができる長さである、
ことを特徴とするショルダーベルト付きキャディバッグ。
【請求項２】
請求項１記載のショルダーベルト付きキャディバッグにおいて、
背負い用のショルダーベルトと付け替え後の兼用のショルダーベルトは、キャディバッグの側面又は前面又は背面のいずれかの面にある、
ことを特徴とするショルダーベルト付きキャディバッグ。
【請求項３】
請求項１又は請求項２記載のショルダーベルト付きキャディバッグにおいて、
キャディバッグが、上部にリング状の口枠を、下部にリング状の底枠を備え、
背負い用のショルダーベルトの上部が前記口枠又はその付近に固定され又は当該口枠又はその付近に設けられた上係止具に脱着可能であり、
兼用のショルダーベルトの上部を付け替える上係止具が前記口枠又はその付近に設けられ、兼用のショルダーベルトの下部を付け替える下受け具が前記底枠又はその付近に設けられている、
ことを特徴とするショルダーベルト付きキャディバッグ。
【請求項４】
請求項１から請求項３のいずれか１項に記載のショルダーベルト付きキャディバッグにおいて、
キャディバッグの外周面に、上方開口のポケットがあり、当該ポケットは背負い用のショルダーベルトと兼用のショルダーベルトのいずれか一方又は双方の下部を出し入れ可能なサイズの縦長である、
ことを特徴とするショルダーベルト付きキャディバッグ。
【手続補正書】
【提出日】令和1年6月24日(2019.6.24)
【手続補正１】
【補正対象書類名】明細書
【補正対象項目名】全文
【補正方法】変更
【補正の内容】
【発明の詳細な説明】
【技術分野】
【０００１】
本発明はゴルフ用のキャディバッグ、特に携行に便利なキャディバッグに関する。
【背景技術】
【０００２】
キャディバッグには各種構造、デザインのものがある。従来のキャディバッグには持ち運び用のハンドルも、肩に掛けるショルダーベルトもある。しかし、キャディバッグは縦長であり、直径が大きく、クラブやボールを入れると重いため、ハンドルを持っても、ショルダーベルトを肩に掛けても持ち運びにくい。特に、ショルダーベルトは、通常は一本であるため、肩に掛けるとキャディバッグが傾くとか、肩からずれ落ち易く、不安定であり、担ぎにくかった。また、キャディバッグが身体の横にぶら下がり、キャディバッグの前後が身体の前後から飛び出る（はみ出る）ため、歩くと左右に揺れて歩きにくく、駅の改札口のような狭い場所を通りにくかった。電車内の網棚に載せるには大き過ぎ、電車内に置くと他の乗客に迷惑がかかることがある。また、電車内に倒れないように立てておくのも難しかった。近年、車離れが一因で、電車でゴルフに行く人が多くなっていることから、前記諸問題の解決は喫緊の課題でもある。
【０００３】
従来は、ショルダーベルトを二本にしたキャディバッグもある（特許文献１〜４）。これらは一本の場合よりも持ち運びが容易であるが、二本のショルダーベルトがＸ字状の場合は、背中に背負うとキャディバッグが横向きになるため、背負った状態では改札口を通りにくく、駅構内の人混みの中や電車内で邪魔になる。
【０００４】
二本のショルダーベルトを平行にしたキャディバッグもある（特許文献５）。このキャディバッグは背負うとキャディバッグが縦向きになるため、改札口を通り易く、電車内での邪魔も緩和される。しかし、通常、キャディバッグの前面にはハンドルと前ポケットがあるため、特許文献５のように、二本のショルダーベルトをキャディバッグの前面に取り付けると、背負った時にハンドルと前ポケットが背中に当たって邪魔になる。この邪魔を解消するためには、少なくともハンドルを取り外さなければならない。しかし、ハンドルを取り外すと手で持ちにくくなるため、キャディバッグをゴルフカートや自動車に積み降ろししにくくなる。また、ハンドルを取り外しても幅の狭い前面が背中に当たるため背負った時に不安定になる。
【０００５】
キャディバッグはゴルフ場に宅配便で送ることがある。しかし、昨今は、宅配便代が大幅に値上げされていることから、往復にすると数千円にもなり、プレーヤーの経済的負担が大きくなっている。
【先行技術文献】
【特許文献】
【０００６】
【特許文献１】特開平９−１３５９３６号公報
【特許文献２】特開平１１−２５３５９４号公報
【特許文献３】特開２００９−０８２６８６号公報
【特許文献４】特開２０１７−１７０１２６号公報
【特許文献５】特開２０１７−１２４１５４号公報
【発明の概要】
【発明が解決しようとする課題】
【０００７】
本発明は、片方の肩に掛けることも、両方の肩に掛けて背負うこともでき、垂直に背負いやすく、背負った時に傾きにくく安定し、背負った状態でも駅の改札口のように狭い場所でも通り易いキャディバッグを提供することにある。
【課題を解決するための手段】
【０００８】
本発明のショルダーベルト付きキャディバッグは、キャディバッグの外周面縦方向に、二本のショルダーベルトを略平行（平行）に設けたものである。二本のショルダーベルトはその上部をキャディバッグの口枠又はその付近（口枠側）に、下部をキャディバッグの底枠又はその付近（底枠側）に固定又は脱着可能に取り付けたものである。キャディバッグの側面が前面又は背面よりも幅広である場合は、二本のショルダーベルトを幅広の側面側に設けるのが望ましい。
【０００９】
二本のショルダーベルトの取り付け位置は前記位置に限らず、上部をキャディバッグの口枠側に取り付け、下部をキャディバッグの底枠側よりも上方に固定又は脱着可能に取り付けるとか、上部をキャディバッグの口枠側よりも下方に取り付け、下部をキャディバッグの底枠側に固定又は脱着可能に取り付けるとかすることもできる。
【００１０】
二本のショルダーベルトのうち一本は、少なくとも、上部がキャディバッグの口枠側に固定され、下部がキャディバッグの底枠側に脱着可能であり、他の一本はキャディバッグの備え付けのショルダーベルトの取付け箇所から取り外して、キャディバッグの側面の口枠側に設けた上係止具に付け替え可能とすることもできる。
【００１１】
キャディバッグの外周面に上方開口のポケットを設けることもできる。ポケットは二本のショルダーベルトのうち、少なくとも一本のショルダーベルトの下部を出し入れ可能なサイズの縦長が適する。
【発明の効果】
【００１２】
本発明のショルダーベルト付きキャディバッグは次のような効果がある。
（１）キャディバッグの外周面縦方向に、二本のショルダーベルトを略並行に設けたので、背負いやすく、傾きにくく、安定する。
（２）二本のショルダーベルトの上部をキャディバッグの口枠側に、下部をキャディバッグの底枠側に取り付けてあるため、縦向きに背負ったキャディバッグが傾きにくくなり、背中の上で安定する。このため、改札口のような狭い場所でも通過し易くなり、車内でも邪魔になりにくい。
（３）ショルダーベルトをキャディバッグの側面の幅広側に設けた場合は、幅広側にはハンドルも、前ポケットもなく、比較的フラットになっており、幅も前面や背面よりも広いため、背負った時に背中に密着し易く、安定する。背中から横にはみ出ることもないため、平地は勿論のこと駅の階段でも歩き易い。一本のショルダーベルトを片方の肩に掛けても、略垂直に背負うことができるので、肩からずれ落ち難くなり、揺れが少なくなり、歩き易くなる。
（４）二本のショルダーベルトをキャディバッグの幅広の側面側に設けた場合は、背負った時に背中への接触面積が大きくなり、傾きにくくなり、安定し、背負った時に歩行し易い。小走りしても傾きにくく安定する。
（５）二本のショルダーベルトのうち、一本は、既存のショルダーベルトを利用することができるので、既存のショルダーベルトを有効活用できる。
（６）両肩で背負った場合は、荷重が両肩に分散されるので疲れにくい。
（７）ショルダーベルト用のポケットがあるため、ショルダーベルトを使わないときは、ショルダーベルトをポケットに収納でき、邪魔にならない。
（８）備え付けのショルダーベルトを、背負うための二本のショルダーベルトの一本と兼用にする場合は、ショルダーベルトが三本にならず、構成がシンプルになり、コストダウンにもなる。
【図面の簡単な説明】
【００１３】
【図１】本発明のショルダーベルト付きキャディバッグの一例を示す斜視図。
【図２】図１のキャディバッグのショルダーベルトの下方部分を、キャディバッグのポケットに収容した一例を示す斜視図。
【図３】本発明のショルダーベルト付きキャディバッグであって、背負い用のショルダーベルトを一本にして、他の一本を備え付けのショルダーベルトと兼用にする場合の斜視図。
【図４】図３のキャディバッグの備え付けのショルダーベルトの上係止具を外して新たに設けた上係止具に付け替えた場合の説明図。
【図５】図４のキャディバッグの一方のショルダーベルトの下係止具を新たに設けた下受け具に付け替えた場合の説明図。
【図６】本発明のショルダーベルト付きキャディバッグを背負った状態の側面図。
【図７】本発明のショルダーベルト付きキャディバッグを背負った状態の正面図。
【図８】本発明のショルダーベルト付きキャディバッグの一方のショルダーベルトを、一方の肩に掛けて背負った状態の正面図。
【発明を実施するための形態】
【００１４】
（実施形態）
本発明のショルダーベルト付きキャディバッグの一例を図面に基づいて説明する。本発明ではショルダーベルトをキャディバッグの前面又は背面に設けることもできるが、この実施形態はショルダーベルトをキャディバッグの側面に設けた場合である。
【００１５】
図１のキャディバッグ１はフードＦ（図６〜図８）を取り外した状態である。図１の２は口部であり、口枠２ａを合成皮革、布等のカバー材３で被覆してある。口枠２ａは硬質材製であって前後方向に多少細長リング状である。４は底部であり、底枠４ａを合成皮革、布等のカバー材５で被覆してある。底枠４ａは硬質材製であり、略円筒状である。底枠４ａは円盤状の底板の周囲に配置固定されている。６は口部２と底部４の間の外周部であり、口部２と底部４の間に設けた円筒状の芯材（図示せず）の外周を合成皮革、布等のカバー材７で被覆してある。口部２の内側は数本の仕切り材で縦、横に仕切ってあり、口部２から出し入れするクラブの絡み合いを防止して、クラブを出し入れし易くしてある。外周部６の前面には前袋８とハンドル９（図１、図２）があり、背面には背袋１０（図３、図４）がある。前袋８、背袋１０の出入り口はジッパーその他の止め具で開閉可能である。これら構造は汎用のキャディバッグと同じ又は略同じである。
【００１６】
本発明のキャディバッグ１の特徴は、図１に示すように外周部６の外側面の外側に、二本のショルダーベルト１１ａ、１１ｂを略平行に設けたことにある。二本のショルダーベルト１１ａ、１１ｂの上部１２ａ、１２ｂは口部２のカバー材３の内側に入れて、カバー材３に縫いつけてある。二本のショルダーベルト１１ａ、１１ｂの下部１３ａ、１３ｂには係止具（例えばナスカン）１４を取り付けてあり、その係止具１４を、キャディバッグ１の底部４に取り付けてある下受け具（例えばリング）１５（図２）に取り外し可能としてある。ショルダーベルト１１ａ、１１ｂは幅を広くして肩に掛けたときに安定するようにしてあり、また、クッション材が内蔵されて、肩が痛くならないようにしてある。
【００１７】
本発明のキャディバッグ１は、図２のように、外周部６の幅広の側面６ａ（図１）にポケット１６（図２、図３）を設けてある。ポケット１６は二本のショルダーベルト１１ａ、１１ｂを差し込んで収納できる縦長であり、上部１６ａを開口して出し入れ口としてある。
【００１８】
図１ではショルダーベルト１１ａ、１１ｂの上部１２ａ、１２ｂ（図１）を共に口部２側に縫い付けて固定してあるが、上部１２ａ、１２ｂの双方又はいずれか一方は、口部２側に設けた上係止具（付け替え用の上係止具）２０に脱着可能とすることもできる。
【００１９】
二本のショルダーベルト１１ａ、１１ｂのうち、いずれか一本は、キャディバッグ１を肩に担ぐためにキャディバッグに備え付けのショルダーベルト１７（図３）であり、背負い用と肩掛け用に兼用にすることができる。兼用にする場合は、図４のように、備え付けのショルダーベルト１７の上係止具（例えばナスカン）１８を備え付けの上治具１９（図３）から外して、キャディバッグ１の口部２に取り付けてある付け替え用の上係止具２０に付け替える。さらに、備え付けのショルダーベルト（背負い・肩掛け兼用のショルダーベルト）１７（図４）の下係止具（例えばナスカン）２１を備え付けの下治具２２（図４）から外して、図５のように、キャディバッグ１の底部４に取り付けてある付け替え用の下受け具（例えばリング）２３に付け替える。
【００２０】
［使用例］
本発明のショルダーベルト付きキャディバッグ１を背負う場合は、図６、図７のように、二本のショルダーベルト１１ａ、１１ｂを肩に掛けて縦向きに背負う。この場合、キャディバッグ１の外周部６の幅広の側面６ａが背中に当たるためキャディバッグ１が安定する。図８のように、二本のショルダーベルト１１ａ、１１ｂのいずれか一本だけを片方の肩に掛けることもできる。この場合も、キャディバッグ１の外周部６の幅広の側面６ａが背中に当たるためキャディバッグ１が安定する。
【００２１】
本発明のショルダーベルト１１ａ、１１ｂの取り付け位置は、必ずしも、キャディバッグの口枠側又は底枠側でなくてもよい。ショルダーベルト１１ａ、１１ｂの上部１２ａ、１２ｂを口枠側よりも下方に、ショルダーベルト１１ａ、１１ｂの下部１３ａ、１３ｂを底枠側よりも上方に取り付けることもできる。また、上部１２ａ、１２ｂを口枠側に設け、下部１３ａ、１３ｂを底枠側よりも上方に取り付けるとか、上部１２ａ、１２ｂを口枠側の下方に取り付け、下部１３ａ、１３ｂを底枠側に取り付けることもできる。いずれの場合も、ショルダーベルト１１ａ、１１ｂを肩に掛けてキャディバッグを縦向きに背負ったときに、キャディバッグ１の上部又は下部が横に傾かない位置に取り付けるのが望ましい。
【００２２】
ショルダーベルト１１ａ、１１ｂは、キャディバッグ１の前面又は背面に設けることもできる。この場合のショルダーベルト１１ａ、１１ｂの取り付けは、前記と同様にすることができる。ショルダーベルト１１ａ、１１ｂをキャディバッグ１の前面に設けた場合は、縦向きに背負ったキャディバッグ１の前面が背中にあたり、ショルダーベルト１１ａ、１１ｂをキャディバッグ１の背面に設けた場合は、縦向きに背負ったキャディバッグ１の背面が背中にあたる。
【産業上の利用可能性】
【００２３】
図示した実施例はあくまでも本発明の一例である。本発明の解決課題を実現できれば、他の形状、構造、サイズ、材質等とすることもできる。
【符号の説明】
【００２４】
１      キャディバッグ
２      （キャディバッグの）口部
２ａ    口枠
３      カバー材
４      （キャディバッグの）底部
４ａ    底枠
５      カバー材
６      （キャディバッグの）外周部
６ａ    幅広の側面
７      カバー材
８      前袋
９      ハンドル
１０    背袋
１１ａ  ショルダーベルト
１１ｂ  ショルダーベルト
１２ａ  （ショルダーベルト１１ａの）上部
１２ｂ  （ショルダーベルト１１ｂの）上部
１３ａ  （ショルダーベルト１１ａの）下部
１３ｂ  （ショルダーベルト１１ｂの）下部
１４    係止具
１５    下受け具
１６    ポケット
１６ａ  ポケットの上部（出し入れ口）
１７    備え付けのショルダーベルト（背負い・肩掛け兼用のショルダーベルト）
１８    （備え付けのショルダーベルトの）上係止具
１９    備え付けの上治具
２０    付け替え用の上係止具
２１    （備え付けのショルダーベルトの）下係止具
２２    備え付けの下治具
２３    付け替え用の下受け具
Ｆ      フード
【手続補正２】
【補正対象書類名】特許請求の範囲
【補正対象項目名】全文
【補正方法】変更
【補正の内容】
【特許請求の範囲】
【請求項１】
ゴルフ用のキャディバッグ（１）において、
キャデイバックの外周に背負い用のショルダーベルト（１１ａ）が一本と、背負い・肩掛け兼用のショルダーベルト（１７）が一本あり、
前記背負い用のショルダーベルト（１１ａ）は、その上部がキャディバッグ（１）の外周上部に固定又は脱着可能に取り付けられ、下部がキャディバッグ（１）の外周下部に固定又は当該下部に設けた下受け具（１５）に脱着可能に取り付けられて、キャディバッグ（１）の外周に縦向きに設けられ、
キャディバッグ（１）の外周であって、前記背負い用のショルダーベルト（１１ａ）の上部側方に付け替え用の上係止具（２０）を設け、前記ショルダーベルト（１１ａ）の下部側方に付け替え用の下受け具（２３）を設け、
前記背負い・肩掛け兼用のショルダーベルト（１７）はその上部に設けてある備え付けの上係止具（１８）をキャディバッグ（１）の外周に設けてある備え付けの上治具（１９）に、下部に設けてある備え付けの下係止具（２１）をキャディバッグ（１）の外周に設けてある備え付けの下治具（２２）に係止して肩掛け用とすることができ、前記備え付けの上係止具（１８）を前記備え付けの上治具（１９）から外して前記付け替え用の上係止具（２０）に付け替え、前記備え付けの下係止具（２１）を前記備え付けの下治具（２２）から外して前記付け替え用の下受け具（２３）に付け替えることにより、前記背負い用のショルダーベルト（１１ａ）の横に並行に縦向きに配列されて背負い用とすることができる、
ことを特徴とするショルダーベルト付きキャディバッグ。
【請求項２】
請求項１記載のショルダーベルト付きキャディバッグにおいて、
背負い用のショルダーベルト（１１ａ）と、付け替え後の背負い・肩掛け兼用のショルダーベルト（１１ｂ）は、キャディバッグ（１）の外周面であって、側面又は前面又は背面のいずれかの面にある、
ことを特徴とするショルダーベルト付きキャディバッグ。
【請求項３】
請求項１又は請求項２記載のショルダーベルト付きキャディバッグにおいて、
キャディバッグ（１）が、上部にリング状の口枠（２ａ）を、下部にリング状の底枠（４ａ）を備え、
背負い用のショルダーベルト（１１ａ）の上部は前記口枠（２ａ）又はその付近に固定又は脱着可能であり、下部は前記底枠（４ａ）又はその付近に固定されるか、又は当該底枠（４ａ）又はその付近に設けられた下受け具（１５）に脱着可能であり、
付け替え用の上係止具（２０）が前記口枠（２ａ）又はその付近に設けられ、付け替え用の下受け具（２３）が前記底枠（４ａ）又はその付近に設けられている、
ことを特徴とするショルダーベルト付きキャディバッグ。
【請求項４】
請求項１から請求項３のいずれか１項に記載のショルダーベルト付きキャディバッグにおいて、
キャディバッグ（１）の外周にポケット（１６）があり、当該ポケット（１６）は背負い用のショルダーベルト（１１ａ）と、それと並行に付け替えた背負い・肩掛け兼用のショルダーベルト（１１ｂ）との双方よりも内側にあり、上方開口の出し入れ口（１６ａ）を備えており、
背負い用のショルダーベルト（１１ａ）と背負い・肩掛け兼用のショルダーベルト（１１ｂ）のいずれか一方又は双方の下部であって、下受け具（１５）又は付け替え用の下受け具（２３）から取り外された下部を、前記ポケット（１６）の出し入れ口（１６ａ）から出し入れ可能なサイズの縦長である、
ことを特徴とするショルダーベルト付きキャディバッグ。